(57)【要約】【課題】給液ノズルから吐出パイプの収納部に垂れ落ち、支持部へ流れた液体にゴミが付着することで支持部が汚れてしまうことを抑制可能なノズル掛けを提供する。【解決手段】本発明の一実施形態に係るノズル掛け２６は、給液ノズル３８の荷重を支持するノズル支持部２８と、ノズル支持部２８の上側に設けられ、給液ノズル３８の吐出パイプ３８ｂが収納される吐出パイプ収納部３０と、吐出パイプ収納部３０に設けられ、吐出パイプ３８ｂの先端から吐出パイプ収納部３０に垂れ落ちた液体を裏側に排出する排出口３４と、吐出パイプ収納部３０に設けられ、吐出パイプ３８ｂの先端から吐出パイプ収納部３０に垂れ落ちた液体を排出口３４に案内する案内部３２と、を備える。【選択図】図３Ａ
2020200051.tif 000002
【特許請求の範囲】
【請求項１】
給液ノズルの荷重を支持する支持部と、
前記支持部の上側に設けられ、前記給液ノズルの吐出パイプが収納される収納部と、
前記収納部に設けられ、前記吐出パイプの先端から前記収納部に垂れ落ちた液体を裏側に排出する排出口と、
前記収納部に設けられ、前記吐出パイプの先端から前記収納部に垂れ落ちた液体を前記排出口に案内する案内部と、を備える、
ノズル掛け。
【請求項２】
前記案内部は、前記収納部の表面から立ち上がる態様で形成される案内面を有し、
前記排出口は、前記案内面と、前記収納部の表面から立ち上がる態様で形成される他の面との交差により形成される角部付近に設けられる、
請求項１に記載のノズル掛け。
【請求項３】
ノズル掛けの下方に配置される液溜り部に、前記排出口から裏側に排出される液体を流入させる排出路を備える、
請求項１又は２に記載のノズル掛け。
【発明の詳細な説明】
【技術分野】
【０００１】
本発明はノズル掛けに関する。
【背景技術】
【０００２】
給液装置（計量機）には、給液ノズルの荷重を支える支持部と、給液ノズルの吐出パイプを収納する収納部とを有し、給液ノズルが掛止されるノズル掛けが設けられる。（特許文献１参照）。
【先行技術文献】
【特許文献】
【０００３】
【特許文献１】特開２００４−１２３１２０号公報
【発明の概要】
【発明が解決しようとする課題】
【０００４】
しかしながら、給液終了後、ユーザが給液ノズルをノズル掛けに戻す際に、吐出パイプの先端の収納部への接触や給液ノズル本体と支持部との当接による衝撃等によって、吐出パイプの先端から吐出パイプの収納部に液体が垂れ落ちる可能性がある。そのため、吐出パイプの収納部に垂れた液体が下方に位置する支持部に流れゴミが付着することで、支持部が汚れてしまう可能性がある。
【０００５】
そこで、上記課題に鑑み、給液ノズルから吐出パイプの収納部に垂れ落ち、支持部へ流れた液体にゴミが付着することで支持部が汚れてしまうことを抑制可能なノズル掛けを提供することを目的とする。
【課題を解決するための手段】
【０００６】
上記目的を達成するため、本発明の一実施形態では、
給液ノズルの荷重を支持する支持部と、
前記支持部の上側に設けられ、前記給液ノズルの吐出パイプが収納される収納部と、
前記収納部に設けられ、前記吐出パイプの先端から前記収納部に垂れ落ちた液体を裏側に排出する排出口と、
前記収納部に設けられ、前記吐出パイプの先端から前記収納部に垂れ落ちた液体を前記排出口に案内する案内部と、を備える、
ノズル掛けが提供される。
【発明の効果】
【０００７】
上述の実施形態によれば、給液ノズルから吐出パイプの収納部に垂れ落ち、支持部へ流れた液体にゴミが付着することで支持部が汚れてしまうことを抑制可能なノズル掛けを提供することができる。
【図面の簡単な説明】
【０００８】
【図１】給液装置（計量機）の一例を概略的に示す正面図である。
【図２】給液装置（計量機）の一例を概略的に示す側面図である。
【図３Ａ】ノズル掛けの構成の一例を示す斜視図である。
【図３Ｂ】ノズル掛けの構成の一例を示す右側面断面図である。
【図４Ａ】案内部の構造を説明する正面断面図である。
【図４Ｂ】案内部の構造を説明する正面断面図である。
【図４Ｃ】案内部の構造を説明する正面断面図である。
【図５】ノズル掛けの裏側の構造の一例を示す図である。
【図６Ａ】排液の回収方法の一例を説明する図である。
【図６Ｂ】排液の回収方法の一例を説明する図である。
【発明を実施するための形態】
【０００９】
以下、図面を参照して発明を実施するための形態について説明する。
【００１０】
［給液装置の構成］
まず、図１、図２を参照して、給液装置１０（計量機）の構成について説明する。
【００１１】
図１、図２は、本実施形態に係る給液装置１０の構成の一例を概略的に示す正面図及び左側面図である。
【００１２】
給液装置１０は、所定の供給対象（例えば、車両の燃料タンク）に所定の液体（例えば、ガソリンや軽油等の液体燃料）（以下、単に「液体」）を供給するために用いられる。
【００１３】
尚、図１は、ノズル掛け２６から給液ノズル３８が取り外された状態である。また、本例では、前面及び後面の双方に給液ノズル３８が設置されるが、何れか一方に設置される態様であってもよい。また、本例では、前面及び後面の双方に、それぞれ３つの給液ノズル３８及びノズル掛け２６のセットが設けられるが、１つ或いは２つであってもよいし、４つ以上が設けられてもよい。また、ノズル掛け２６は、複数設けられる場合、給液装置１０の前面或いは後面から見て、左右方向に均等間隔で配置されてもよいし、左右の両端側に偏って配置されてもよい。
【００１４】
図１、図２に示すように、給液装置１０は、装置本体１２と、装置本体１２の前面及び後面に取り付けられるパネル１４を含む。
【００１５】
装置本体１２は、左右両側のそれぞれに立設される支柱１６，１８と、支柱１６，１８の上端部の間で左右に横架されるホース支持部２２を含む。
【００１６】
また、装置本体１２は、表示器２４と、ノズル掛け２６と、給液ノズル３８と、ホース４０を含む。
【００１７】
表示器２４は、例えば、給液開始からの給液量の積算値を表示させる。
【００１８】
ノズル掛け２６は、パネル１４、或いは、パネル１４及びその裏面に配設されるフレーム等の構造部材に取り付けられ、給液ノズル３８を掛止するために用いられる。ノズル掛け２６は、給液ノズル３８の荷重を支持するノズル支持部２８と、給液ノズル３８の先端部（即ち、後述の吐出パイプ３８ｂ）を収納する吐出パイプ収納部３０を含む。ノズル支持部２８及び吐出パイプ収納部３０は、それぞれ、別体に製造され、ねじ等を用いて組み付けられることにより一体として構成されてよい。ノズル支持部２８及び吐出パイプ収納部３０は、例えば、樹脂成型品であってよい。また、ノズル支持部２８は、吐出パイプ収納部３０より強度が高い部材、例えば、アルミダイキャスト製であってもよい。
【００１９】
ノズル支持部２８（支持部の一例）は、給液ノズル３８の下端部（後述のグリップ部３８ａ）を下方から支持する。
【００２０】
吐出パイプ収納部３０（収納部の一例）は、吐出パイプ３８ｂの基端部を保持する保持部３０ａと、吐出パイプ３８ｂが挿入される形で収納される挿入部３０ｂを含む。
【００２１】
挿入部３０ｂは、前方に相対的に大きな開口を有すると共に、装置本体１２の内部に入り込む形で先端が閉じており、開口から先端（奥）に向かって上下空間（及び左右空間）が狭くなる態様で構成される。
【００２２】
尚、パネル１４には、挿入部３０ｂの先端を挿通させる挿通口が形成されてよい。これにより、ノズル掛け２６をパネル１４の表面に設置しつつ、挿入部３０ｂの先端が装置本体１２の奥に入り込む形態を実現することができる。
【００２３】
給液ノズル３８は、所定の供給対象の供給口（例えば、車両のフューエルパイプの先端）に挿入し、液体を給液するために用いられる。給液ノズル３８は、ユーザが手で握る（把持する）グリップ部３８ａと液体が吐出される吐出パイプ３８ｂとを含む。
【００２４】
ホース４０は、装置本体１２の内部から届けられる液体を給液ノズル３８に供給する。ホース４０は、その基端がホース支持部２２に支持され、その先端が給液ノズル３８に接続される。
【００２５】
また、装置本体１２の内部には、例えば、地下に配置されるタンクから液体を吸い上げ、給液ノズル３８に供給するための給液ポンプや、給液ノズル３８を通じて、所定の対象に補給される液体の流量を計測する流量計等が搭載される。
【００２６】
［ノズル掛けの構成］
次に、図１、図２に加えて、図３（図３Ａ、図３Ｂ）を参照して、本実施形態に係るノズル掛け２６の詳細な構成について説明する。以下、装置本体１２の前面及び後面のそれぞれに取り付けられたノズル掛け２６の構成は同じであるため、装置本体１２の前面のノズル掛け２６について説明を行う。
【００２７】
図３Ａ、図３Ｂは、ノズル掛け２６の構成の一例を示す斜視図及び左側面断面図である。図３Ａ中の矢印は、挿入部３０ｂに吐出パイプ３８ｂの先端から垂れ落ちた液体の流れを表す。
【００２８】
ノズル掛け２６は、上述の如く、ノズル支持部２８と、吐出パイプ収納部３０を含み、吐出パイプ収納部３０は、保持部３０ａと、挿入部３０ｂを含む。
【００２９】
ノズル支持部２８は、給液ノズル３８のグリップ部３８ａを下から支持し、且つ、左右に脱落させないように、グリップ部３８ａ（の下端）を下から包み込む態様の凹形状を含む。
【００３０】
挿入部３０ｂには、案内部３２と排出口３４が設けられる。
【００３１】
案内部３２は、吐出パイプ３８ｂの先端から垂れ落ち、挿入部３０ｂに付着した液体を排出口３４に向けて流れるように案内する機能を果たす。案内部３２は、挿入部３０ｂの底部３２ａと、集約部３２ｂと、排出案内部３２ｃを含む。
【００３２】
排出口３４は、ノズル掛け２６の表側から裏側に連通し、案内部３２により案内される液体を外部（具体的には、ノズル掛け２６の裏側）に排出する。これにより、吐出パイプ３８ｂの先端から垂れ落ちた液体は、給液装置１０（装置本体１２）の正面側から見えなくなる。
【００３３】
［案内部の詳細］
次に、図３Ａ、図３Ｂに加えて、図４（図４Ａ〜図４Ｃ）を参照して、案内部３２の詳細について説明する。
【００３４】
図４Ａ〜図４Ｃは、案内部３２の構造の一例を示す正面断面図である。具体的には、図４Ａ〜図４Ｃは、それぞれ、挿入部３０ｂの底部３２ａ、集約部３２ｂ、及び排出案内部３２ｃの構造の一例を示す正面断面図である。
【００３５】
図３Ｂに示すように、底部３２ａは、挿入部３０ｂの開口、つまり、給液装置１０の前方に向けて下り傾斜を有する。また、図４Ａに示すように、底部３２ａは、左右方向の外側から中央部に向けて下り傾斜を有する。つまり、底部３２ａは、左右方向で中央部が下に凸のＶ字形状を有する。これにより、図３Ａ（矢印）に示すように、挿入部３０ｂの奥側で吐出パイプ３８ｂから垂れ落ちた液体は、底部３２ａの左右方向の中央部に集約されながら、挿入部３０ｂの開口側（集約部３２ｂ側）に流れる。
【００３６】
図３Ａに示すように、集約部３２ｂは、底部３２ａの前端中央部に設けられる凹部である。具体的には、図３Ｂに示すように、集約部３２ｂは、給液装置１０の前方に向けて、底部３２ａよりも急な下り傾斜を有する。また、図４Ｂに示すように、集約部３２ｂは、左右方向の外側から中央部に向けて、底部３２ａよりも急な下り傾斜を有する。つまり、集約部３２ｂは、底部３２ａよりも傾斜がきつい、左右方向で中央部が下に凸のＶ字形状を有する。これにより、図３Ａ（矢印）に示すように、底部３２ａの左右方向の中央部に集約された液体は、集約部３２ｂの左右方向の中央部に流れ込み、より急な傾斜に伴い、下側（排出案内部３２ｃ側）に向かってより速く流れる。また、挿入部３０ｂの開口側且つ左右方向の外側の位置で吐出パイプ３８ｂから垂れ落ちた液体は、底部３２ａの左右方向の外側から中央部に集約されることなく、左右方向の端部から集約部３２ｂに流れ込む。そして、液体は、集約部３２ｂの中で左右方向の中央部に集約されながら、より急な傾斜に伴い、下側に向かってより速く流れる。
【００３７】
また、底部３２ａや集約部３２ｂは、上述の如く、給液装置１０の前方に向けて下り傾斜を有している。そのため、底部３２ａや集約部３２ｂは、給液ノズル３８の吐出パイプ３８ｂが吐出パイプ収納部３０内に収納される際に、吐出パイプ３８ｂが挿入部３０ｂの底部３２ａ等に衝突したとしても、給液ノズル３８がノズル掛け２６に保持されるようにガイドする機能を果たす。
【００３８】
図３Ａ、図４Ｃに示すように、排出案内部３２ｃは、挿入部３０ｂの表面から立ち上がる凸形状により構成される。具体的には、排出案内部３２ｃは、正面視で、左右方向の中央部に角部を有する態様で交差し、左右方向の外側に向かって下り傾斜する二つの案内面３２ｃ１を有する。これにより、集約部３２ｂの左右方向の中央部の液体は、二つの案内面３２ｃ１が交差する角部（頂点）付近に流れ込み、二つの案内面３２ｃ１の何れかに沿って下側（排出口３４側）に流れる。
【００３９】
図３Ａ、図４Ｃに示すように、二つの案内面３２ｃ１は、それぞれ、挿入部３０ｂの左右方向の外側の表面から立ち上がる態様で形成される対向面３３（他の面の一例）と所定角度で（例えば、鋭角状に）交差する。これにより、案内面３２ｃ１と対向面３３との間には、凹形状の角部が構成される。そのため、二つの案内面３２ｃ１に沿って流れる液体は、案内面３２ｃ１と対向面３３との間の角部に集約される。
【００４０】
排出口３４は、対向面３３における案内面３２ｃ１と対向面３３との間の角部付近に設けられる。これにより、案内面３２ｃ１と対向面３３との間の角部に集約される液体を、排出口３４を通じて、ノズル掛け２６の表側から裏側に排出させることができる。また、排出口３４は、案内面３２ｃ１と対向面３３との間の角部に集約される液体が流れる方向に対向する形で設置されている。これにより、案内面３２ｃ１と対向面３３との間の角部に集約される液体は、流れの向きを変えることなく、そのまま、排出口３４に流入できるため、排出口３４に流れ込み易くなり、排出口３４からの液体の排出をより促進させることができる。
【００４１】
［液体の外部への排出路］
次に、図５を参照して、排出口３４からノズル掛け２６の裏側に排出（導入）された液体をノズル掛け２６の外部に排出する排出路３６について説明する。
【００４２】
図５は、ノズル掛け２６の裏側の構造の一例を示す図である。図５中の矢印は、排出口３４から導入される液体の流れを表す。
【００４３】
尚、図５には、右側の排出口３４からノズル掛け２６の裏側に導入される液体の流れのみが描画されるが、左側の排出口３４からノズル掛け２６の裏側に導入される液体についても同様の流れで、ノズル掛け２６の外部に液体が排出される。
【００４４】
図５に示すように、ノズル掛け２６の裏側には、排出口３４から導入される液体をノズル掛け２６の外部に排出する排出路３６が設けられる。
【００４５】
排出路３６は、上段受け面３６ａと、下段受け面３６ｂと、底部３６ｃと、排出口３６ｄを含む。
【００４６】
上段受け面３６ａは、ノズル掛け２６の裏側における排出口３４の直下の相対的に近い距離の位置に設置される。上段受け面３６ａは、排出口３４から挿入される液体を受け止めることができる。また、上段受け面３６ａは、例えば、ノズル掛け２６の裏側における上下を仕切るリブ形状の上面として構成され、後方に向けて下り傾斜している。これにより、上段受け面３６ａに垂れ落ちた液体は、後方に向けて流れ、後端から更に下側（下段受け面３６ｂ側）に流れる（垂れ落ちる）。また、上段受け面３６ａは、その後端とパネル１４との間に相対的に大きな隙間が生じるように設けられてよい。これにより、上段受け面３６ａの後端から下側に垂れ落ちる液体がパネル１４に付着してしまうような事態を抑制できる。
【００４７】
下段受け面３６ｂは、上下方向における上段受け面３６ａとノズル掛け２６の裏側の底部３６ｃとの間の位置に設置される。下段受け面３６ｂは、後端位置が上段受け面３６ａの後端位置よりも後方になるように設置されている。これにより、下段受け面３６ｂは、上段受け面３６ａの後端から垂れ落ちた液体を受け止めることができる。下段受け面３６ｂは、上段受け面３６ａと同様に、例えば、ノズル掛け２６の裏側における上下を仕切るリブ形状の上面として構成され、後方に向けて下り傾斜している。これにより、下段受け面３６ｂに垂れ落ちた液体は、後方に向けて流れ、後端から更に下側（底部３６ｃ側）に流れる（垂れ落ちる）。また、下段受け面３６ｂは、上段受け面３６ａの場合と同様、その後端とパネル１４との間に相対的に大きな隙間が生じるように設けられてよい。これにより、下段受け面３６ｂの後端から下側に垂れ落ちる液体がパネル１４に付着してしまうような事態を抑制できる。
【００４８】
底部３６ｃは、ノズル掛け２６の裏側の下端部に位置する。底部３６ｃは、左右方向の外側から中央部に向けて下り傾斜している。つまり、底部３６ｃは、左右方向で中央部が下に凸のＶ字形状を有する。これにより、下段受け面３６ｂの後端から底部３６ｃに垂れ落ちた液体は、底部３６ｃの中央部に集約される。また、底部３６ｃは、後方に向けて下り傾斜している（図３Ｂ参照）。これにより、底部３６ｃの中央部に集約された液体は、底部３６ｃの後端に向けて流れる。
【００４９】
排出口３４からノズル掛け２６の裏側に導入される液体は、上段受け面３６ａ、下段受け面３６ｂを経由して、底部３６ｃに流れ落ちる。例えば、排出口３４から、直接、底部３６ｃに流れ落ちる場合、排出口３４と底部３６ｃとの落差が相対的に大きく、底部３６ｃに衝突した液体が後方に飛散してパネル１４に付着してしまう可能性がある。これに対して、本例では、上段受け面３６ａ、下段受け面３６ｂを経由することで、上段受け面３６ａ、下段受け面３６ｂ、及び底部３６ｃでの液体の飛散を抑制し、パネル１４に液体が付着してしまう事態を抑制できる。
【００５０】
排出口３６ｄは、底部３６ｃの左右方向の中央部の後端に設けられる。これにより、排出口３６ｄは、底部３６ｃの中央部を後方に流れる液体をノズル掛け２６の外部に排出することができる。
【００５１】
具体的には、排出口３６ｄは、底部３６ｃの左右方向の中央部の後端から後方に向けてパイプ状に延出される態様で設けられる。これにより、例えば、排出口３６ｄの先端に、ホースやチューブ等を接続することができる。そのため、ホースやチューブを介して、液体を任意の場所まで導くことができる。
【００５２】
また、排出口３６ｄは、その先端とパネル１４との間にある程度の隙間が生じるように設けられる。これにより、排出口３６ｄから液体が排出される際に、液体がパネル１４に付着してしまうような自体を抑制できる。また、ホースやチューブを取り付けるための空間を確保することができる。
【００５３】
［排液の回収方法］
次に、図６（図６Ａ、図６Ｂ）を参照して、ノズル掛け２６（排出口３６ｄ）から外部に排出される液体（以下、「排液」）の回収方法について説明する。
【００５４】
図６は、排液の回収方法の一例を説明する図である。具体的には、図６Ａは、給液装置１０におけるノズル掛け２６及び排液受け３７の配置関係の一例を示す斜視図である。図６Ｂは、ノズル掛け２６の排出口３６ｄ及び排液受け３７の配置関係の一例を示す拡大斜視図である。
【００５５】
図６Ａ、図６Ｂに示すように、ノズル掛け２６の直下のパネル１４には、ノズル掛け２６から上下方向で相対的に近い距離間隔で、排液受け３７が取り付けられる。排出口３６ｄから流出する排液は、下に流れ落ち、排液受け３７に回収される。
【００５６】
排液受け３７（液溜り部の一例）は、上部が開口される箱形状を有する。排液受け３７は、例えば、パネル１４にねじ等により締結されてよい。また、排液受け３７は、例えば、背面にマグネットシート等が取り付けられ、強磁性体で構成されるパネル１４に磁力で取り付けられてもよい。これにより、作業者は、排液受け３７を取り外して、排液を処理するだけでよいため、メンテナンスを容易に行うことができる。
【００５７】
排出口３６ｄは、上述の如く、その先端とパネル１４との間にある程度の隙間が存在するように設けられている（図６Ｂの点線丸枠）。これにより、排出口３６ｄから流出する排液が排液受け３７に流れ落ちる際に、排液がパネル１４に付着し汚してしまうような事態を抑制できる。
【００５８】
尚、上述の如く、排出口３６ｄに取り付けられるホースやチューブを介して、任意の場所に設けられる排液受けに排液を排出させることによって、排液を回収してもよい。
【００５９】
［本実施形態の作用］
次に、本実施形態に係るノズル掛け２６の作用について説明する。
【００６０】
本実施形態に係るノズル掛け２６は、吐出パイプ収納部３０（挿入部３０ｂ）の下端部に設けられ、吐出パイプ３８ｂの先端から吐出パイプ収納部３０（挿入部３０ｂ）に垂れ落ちた液体を裏側に排出する排出口３４と、吐出パイプ収納部３０（挿入部３０ｂ）に設けられ、吐出パイプ３８ｂの先端から吐出パイプ収納部３０（挿入部３０ｂ）に垂れ落ちた液体を排出口３４に案内する案内部３２と、を備える。
【００６１】
これにより、吐出パイプ３８ｂから挿入部３０ｂに垂れ落ちた液体は、下方に流れて、排出口３４から裏側に排出される。そのため、ノズル掛け２６は、吐出パイプ３８ｂから吐出パイプ収納部３０に垂れ落ちた液体がノズル支持部２８に流れてしまうような事態を抑制することができる。つまり、ノズル掛け２６は、ノズル支持部２８に流れ出た液体にゴミが付着することでノズル支持部２８が汚れてしまうような事態を抑制できる。また、ノズル掛け２６は、液体がノズル掛け２６の表面側に残存し美観を損なったり、ノズル支持部２８に流れ出てベタツキを生じたりし、ユーザに不快感を与えてしまうような事態を抑制できる。更に、案内部３２の作用により、吐出パイプ３８ｂから挿入部３０ｂに垂れ落ちた液体を確実に排出口３４に導くことができるため、より確実にユーザの不快感を抑制することができる。
【００６２】
また、本実施形態では、案内部３２は、吐出パイプ収納部３０（挿入部３０ｂ）の表面から立ち上がる態様で形成される案内面３２ｃ１を有する。そして、排出口３４は、案内面３２ｃ１と、吐出パイプ収納部３０（挿入部３０ｂ）の表面から立ち上がる態様で形成される対向面３３との交差により形成される角部付近に設けられてよい。
【００６３】
これにより、案内面３２ｃ１に沿って角部に集約される液体を効率的に排出口３４から裏側に排出することができる。また、排出口３４は、案内面３２ｃ１に沿う液体の流れの向きに対向するように対向面３３に配置される。そのため、案内面３２ｃ１に沿って流れる液体は、流れの向きを変えることなく、排出口３４に流入することができる。よって、案内部３２により排出口３４に案内される液体をより容易に排出口３４から裏側に排出させることができる。
【００６４】
また、本実施形態に係るノズル掛け２６は、ノズル掛け２６の下方に配置される排液受け３７に、排出口３４から裏側に排出される液体を流入させる排出路３６を備える。
【００６５】
これにより、作業者は、排液受け３７から溜まった廃液を回収するだけでよいため、ノズル掛け２６に関するメンテナンスを容易に行うことができる。
【００６６】
［変形・変更］
以上、本発明を実施するための形態について詳述したが、本発明はかかる特定の実施形態に限定されるものではなく、特許請求の範囲に記載された本発明の要旨の範囲内において、種々の変形・変更が可能である。
【００６７】
例えば、上述した実施形態では、排出口３４は、吐出パイプ収納部３０の下端部に配置されるが、案内部３２により案内される液体をノズル掛け２６の裏側に排出可能であれば、任意の位置に配置されてよい。具体的には、給液ノズル３８がノズル掛け２６に掛止された状態で、吐出パイプ３８ｂの先端から垂れ落ちる液体が付着する上限位置、つまり、挿入部３０ｂの底部３２ａの吐出パイプ３８ｂの先端の直下の位置よりも下側に配置されてよい。例えば、吐出パイプ収納部３０において、底部３２ａの下端部の左右方向における中央付近、集約部３２ｂの下端部、集約部３２ｂと排出案内部３２ｃとの間の部分等に排出口が設けられてもよい。
【符号の説明】
【００６８】
１０  給液装置
１２  装置本体
２６  ノズル掛け
２８  ノズル支持部（支持部）
３０  吐出パイプ収納部（収納部）
３０ａ  保持部
３０ｂ  挿入部
３２  案内部
３２ａ  底部
３２ｂ  集約部
３２ｃ  排出案内部
３２ｃ１  案内面
３３  対向面（他の面）
３４  排出口
３６  排出路
３６ａ  上段受け面
３６ｂ  下段受け面
３６ｃ  底部
３６ｄ  排出口
３７  排液受け（液溜り部）
３８  給液ノズル
３８ａ  グリップ部
３８ｂ  吐出パイプ
【図１】
2020200051.tif 000003
【図２】
2020200051.tif 000004
【図３Ａ】
2020200051.tif 000005
【図３Ｂ】
2020200051.tif 000006
【図４Ａ】
2020200051.tif 000007
【図４Ｂ】
2020200051.tif 000008
【図４Ｃ】
2020200051.tif 000009
【図５】
2020200051.tif 000010
【図６Ａ】
2020200051.tif 000011
【図６Ｂ】
2020200051.tif 000012